(57)【要約】【課題】被覆に覆われた光ファイバを用いた場合でも、光ファイバのフェルールからの突出、及び被覆の光ファイバ端面からの突出をいずれも防止し、光強度の低下を防ぐことで正確且つ安定した温度計測を維持できるフェルールプローブを提供すること。【解決手段】本発明におけるフェルールプローブは、外周面が被覆５２で覆われている光ファイバ５と、光ファイバ５の端部を少なくとも一端部６３で囲んで保持するフェルール６と、上記一端部６３の端面６３ａと対向する位置に設けられ光ファイバ５及び被覆５２の上記端面６３ａからの突出を防止する突出防止部８とを有するという構成を採用する。【選択図】図２
2011043389.tif 000002
【特許請求の範囲】
【請求項１】
外周面が被覆で覆われている光ファイバと、
前記光ファイバの端部を、少なくとも一端部で囲んで保持するフェルールと、
前記一端部の端面と対向する位置に設けられ、前記光ファイバ及び前記被覆の前記端面からの突出を防止する突出防止部とを有することを特徴とするフェルールプローブ。
【請求項２】
請求項１に記載のフェルールプローブにおいて、
前記突出防止部は、前記光ファイバと同一軸上に並べられ且つ前記光ファイバのファイバ端面と接して配置される第２光ファイバを備えることを特徴とするフェルールプローブ。
【請求項３】
請求項２に記載のフェルールプローブにおいて、
前記第２光ファイバは、非被覆で設けられることを特徴とするフェルールプローブ。
【発明の詳細な説明】
【技術分野】
【０００１】
本発明は、例えば放射温度計等に用いて好適なフェルールプローブに関するものである。
【背景技術】
【０００２】
従来から、計測対象から発せられる光の波長や強度を測定して、計測対象の温度を計測する放射温度計（パイロメータ、赤外放射温度計等）が用いられている。
ここで、計測対象の温度が高く、光を電気信号に変換する受光素子等を計測対象の近傍に設置できない場合には、計測対象から発せられた光を受光素子まで伝送するフェルールプローブが使用される。このフェルールプローブには、光ファイバが用いられている（例えば、非特許文献１及び２参照）。
また、計測対象と光ファイバとの間には、集光レンズが設けられている。計測対象からの光が集光レンズによって集光され、光ファイバに入射される光の強度が向上する。光の強度が向上することで、正確で安定した温度計測を行うことができる。
【０００３】
光ファイバはガラスや石英からなり、そのままでは脆く破損しやすいので、光ファイバの外周面は破損防止用の被覆で覆われている。被覆には延性の高い材料が用いられ、例えば金が用いられる。
光ファイバには、その入光側端部の外周面を囲んで保持するフェルールが設けられている。このフェルールは、光ファイバの入光側端部を適切な位置に保持するためのものである。光ファイバがフェルールに保持されることで、集光レンズと入光側端部との間隔は、集光レンズの焦点距離と等しくなっている。なお、フェルールは、例えばセラミック接着剤を用いて光ファイバと接続されている。
【０００４】
また、光ファイバは、屈曲自在な管状の部材であるコンジット内に配置されている。このコンジットは、光ファイバを保護するためのものであるが、コンジットを屈曲させたときに光ファイバに対して引張力が加えられ破断することを防ぐために、コンジット内には長めの光ファイバが撓んだ状態で配置されている。
【先行技術文献】
【非特許文献】
【０００５】
【非特許文献１】一ノ瀬昇、小林哲二、「センサとその応用」、総合電子出版社、１９８０年、Ｐ４７
【非特許文献２】高橋清、「センサ技術入門」、工業調査会、１９７８年、Ｐ３９
【発明の概要】
【発明が解決しようとする課題】
【０００６】
しかしながら、上述した従来技術には、以下のような課題が存在する。
コンジット内には長めの光ファイバが撓んだ状態で配置されており、光ファイバは延びた状態に復元しようとする。この復元力により、フェルールの保持部分における光ファイバは、フェルールから集光レンズに向かって付勢されている。また、コンジットを屈曲させることによっても、フェルールの保持部分における光ファイバに対して、集光レンズに向かって付勢する力が作用する。
一方、フェルールは光ファイバの端部外周面をセラミック接着剤等を介して保持しているが、光ファイバの外周面には延性の高い被覆が設けられているため、上記付勢力によって光ファイバは集光レンズに向かって僅かに移動し、光ファイバの入光側端部がフェルールから突出していた。
入光側端部が突出することで、集光レンズの焦点と入光側端部におけるファイバ端面とがずれてしまい、光ファイバに入射される光の強度が低下するという課題があった。
【０００７】
また、一般的に被覆の熱膨張係数は光ファイバやセラミック接着剤の熱膨張係数よりも大きいことから、フェルールプローブが高温の雰囲気内で使用される場合には、被覆の熱膨張量は光ファイバ及びセラミック接着剤の熱膨張量よりも大きくなり、被覆がファイバ端面からずれて突出していた。
被覆の突出により、集光レンズからファイバ端面に入射される光が遮られ、光ファイバに入射される光の強度が低下するという課題があった。
そして、光ファイバに入射される光の強度が低下することで、正確で安定した温度計測が維持できなくなる虞があった。
【０００８】
本発明は、以上のような点を考慮してなされたもので、被覆に覆われた光ファイバを用いた場合でも、光ファイバのフェルールからの突出、及び被覆の光ファイバ端面からの突出をいずれも防止し、光強度の低下を防ぐことで正確且つ安定した温度計測を維持できるフェルールプローブを提供することを目的とする。
【課題を解決するための手段】
【０００９】
上記課題を解決するために、本発明は以下の手段を採用する。
本発明におけるフェルールプローブは、外周面が被覆で覆われている光ファイバと、光ファイバの端部を少なくとも一端部で囲んで保持するフェルールと、上記一端部の端面と対向する位置に設けられ光ファイバ及び被覆の上記端面からの突出を防止する突出防止部とを有するという構成を採用する。
このような構成を採用する本発明では、フェルールにおける一端部の端面と対向する位置に設けられた突出防止部が、光ファイバのフェルールからの突出、及び被覆の光ファイバ端面からの突出をいずれも防止する。
【００１０】
また、本発明におけるフェルールプローブは、突出防止部が、光ファイバと同一軸上に並べられ且つ光ファイバのファイバ端面と接して配置される第２光ファイバを備えるという構成を採用する。
このような構成を採用する本発明では、光ファイバに入射される光は、第２光ファイバを介して光ファイバに入射される。
【００１１】
また、本発明におけるフェルールプローブは、第２光ファイバが、非被覆で設けられるという構成を採用する。
このような構成を採用する本発明では、非被覆の第２光ファイバが突出防止部に設けられており、第２光ファイバと突出防止部との間に延性の高い被覆等が設けられていないので、第２光ファイバの部分においても光ファイバ及び被覆の突出を防止することが可能となる。
【発明の効果】
【００１２】
本発明によれば、以下の効果を得ることができる。
本発明によれば、被覆に覆われた光ファイバをフェルールプローブに用いた場合でも、光ファイバのフェルールからの突出、及び被覆の光ファイバ端面からの突出をいずれも防止でき、光強度の低下を防ぐことで正確且つ安定した温度計測を維持できるという効果がある。
【図面の簡単な説明】
【００１３】
【図１】フェルールプローブ１の構成を示す概略図である。
【図２】入射部２の構成を示す概略図である。
【図３】突出防止カバー８の構成を示す概略図である。
【図４】入射部２の第１の変形例を示す概略図である。
【図５】入射部２の第２の変形例を示す概略図である。
【発明を実施するための形態】
【００１４】
以下、本発明のフェルールプローブに係る実施の形態を、図１から図５を参照して説明する。なお、以下の説明に用いる各図面では、各部材を認識可能な大きさとするため、各部材の縮尺を適宜変更している。
【００１５】
図１は、フェルールプローブ１の構成を示す概略図である。
フェルールプローブ１は、放射温度計の一種であるパイロメータ（図示せず）において用いられるものである。パイロメータは、不図示の計測対象から発せられる光の波長を測定して、計測対象の温度を計測する計測機器である。上記計測対象は、赤熱・白熱して可視光線を発する程度の高温（例えば７５０℃程度）となっているため、光を電気信号に変換する受光素子を計測対象から離れた位置に設置する必要がある。そこで、計測対象からの光を受光素子まで伝送するフェルールプローブ１が用いられる。
【００１６】
フェルールプローブ１は、屈曲自在なケーブル状の機器であって、入射部２と、ケーブル部３と、コネクタ部４とを有している。
入射部２は、フェルールプローブ１の一端部に設けられ、計測対象から発せられる光が入射される部分である。なお、入射部２の詳細は後述する。
【００１７】
ケーブル部３は、入射部２とコネクタ部４とを連結するケーブル部分であって、屈曲自在な管状の部材であるコンジット３１の内部に後述する光ファイバ５（図２参照）が配置された構成となっている。
コンジット３１は、光ファイバ５を保護するために設けられるものであり、耐熱性（例えば２００℃程度）を備え可撓性を有する管部材である。また、コンジット３１の内部には、長めの光ファイバ５が撓んだ状態で配置されている。これは、コンジット３１を屈曲させたときに、光ファイバ５に対して引張力が加えられ破断することを防ぐためである。
【００１８】
コネクタ部４は、フェルールプローブ１の他端部に設けられ、計測対象からの光を電気信号に変換し外部に出力する部分である。
コネクタ部４の内部には、計測対象からの光を電気信号に変換する受光素子として、不図示のフォトダイオードが設けられている。光ファイバ５によって伝送された光はフォトダイオードに入射され、電気信号に変換される。変換により得られた電気信号は、コネクタ部４に設けられる出力用電極を介して外部に出力される。パイロメータは、この電気信号を用いて計測対象の温度を計測する。
【００１９】
次に、入射部２の詳細な説明を、図２及び図３を参照して説明する。
図２は、入射部２の構成を示す概略図であって、（ａ）は断面図、（ｂ）は（ａ）の領域Ｋにおける拡大図である。なお、図２における入射部２の紙面左側を、前側（先端側）すなわち光が入射される側とする。
図３は、突出防止カバー８の構成を示す概略図であって、（ａ）は平面図、（ｂ）は（ａ）のＡ−Ａ線視断面図である。
【００２０】
図２に示すように、入射部２は、光ファイバ５と、フェルール６と、スリーブ７と、突出防止カバー（突出防止部）８とを有している。
光ファイバ５は、計測対象から発せられた光をコネクタ部４のフォトダイオードまで伝送するためのものである。すなわち、光ファイバ５は、入射部２だけでなくケーブル部３におけるコンジット３１の内部にも配設され、コネクタ部４のフォトダイオードの近傍まで延在して設置されている。光ファイバ５は、ファイバ本体５１と、被覆５２とを有している。
【００２１】
ファイバ本体５１は、石英を用いて形成された光ファイバであって、凡そ１０００℃の耐熱性を有し、その径は４００μｍに設定されている。なお、ファイバ本体５１の材料は石英に限定されるものではなく、計測対象近傍の温度に耐えうる耐熱性を有していればよいため、例えばガラスを用いて形成されたガラスファイバであってもよい。
また、ファイバ本体５１の入射側の端面であるファイバ端面５１ａは、ファイバ本体５１の延在方向と直交する平面状に形成されている。
【００２２】
被覆５２は、ファイバ本体５１の屈曲等による破損を防ぐためのものであり、ファイバ本体５１の外周面を覆って設けられている。そのため、光ファイバ５の外周面において、ファイバ本体５１の露出部分は存在しない。被覆５２は、延性の高い材料を用いて形成され、本実施形態では金が用いられている。なお、金に限定されるものではなく、延性が高く、所定の耐熱性（計測対象近傍の温度に耐えうるもの）を有する他の材質であってもよい。被覆５２を設けることにより、本来脆く破損しやすいファイバ本体５１の強度を向上させ、その破損の発生を抑制することができる。
また、被覆５２の前側の端部は、ファイバ端面５１ａと面一に形成されている。
【００２３】
フェルール６は、中心軸方向で貫通する孔部を有する略円柱状の部材であって、光ファイバ５を適切な位置に保持するためのものである。フェルール６は、ステンレス系の金属材料からなり、第１孔部６１と、第２孔部６２とを有している。
【００２４】
第１孔部６１は、フェルール６における前側の端部（一端部）６３に、フェルール６の中心部分でその延在方向と平行して設けられる孔部であって、その径は光ファイバ５の外径よりも僅かに大きく形成されている。第１孔部６１内には光ファイバ５が配置され、光ファイバ５はセラミック接着剤Ｃを介して第１孔部６１の内周面に一体的に接続されている。また、端部６３の端面６３ａは、フェルール６の中心軸方向と直交する平面状に形成されており、光ファイバ５は、ファイバ端面５１ａと端面６３ａとが面一となる位置に設置されている。
すなわち、フェルール６の端部（一端部）６３は、セラミック接着剤Ｃを介して、光ファイバ５の前端部を囲んで保持している。
【００２５】
第２孔部６２は、第１孔部６１よりも大きな径を有する孔部であり、フェルール６の端部６３以外の部分に、第１孔部６１と連通して設けられている。第２孔部６２内にも光ファイバ５は配置され、第２孔部６２の内周面と光ファイバ５の外周面との間の隙間にはセラミック接着剤Ｃが充填されている。
【００２６】
スリーブ７は、入射部２を計測対象の近傍に取り付けるためのものであり、且つフェルール６と共に用いられることで、光ファイバ５等を後述する集光レンズ９から適切な位置に設置するためのものである。スリーブ７は、ステンレス系の金属材料からなり、円筒部７１と、フランジ部７２とを有している。
【００２７】
円筒部７１は、略円筒状に形成されており、その内側にフェルール６及び光ファイバ５が配置される。円筒部７１の内径は、フェルール６が隙間なく嵌合できる大きさで形成されており、フェルール６は、円筒部７１の内側に中心軸方向で移動自在に設置される。また、円筒部７１の内側には段部７３が形成されており、段部７３にフェルール６の後端部が係合することで、スリーブ７に対するフェルール６の後端側への移動が規制される。
フランジ部７２は、円筒部７１の後端部に接続して設けられる略円板状の部材である。フランジ部７２は、板厚方向で貫通する複数の取付用孔部７２ａを有しており、取付用孔部７２ａを用いて入射部２が計測対象の近傍に取り付けられる。
【００２８】
図３に示すように、突出防止カバー（突出防止部）８は、略円板状の部材であって、ファイバ本体５１の端面６３ａからの突出、及び被覆５２のファイバ本体５１からの突出をいずれも防止するためのものである。突出防止カバー８は、円板部８１と、第２光ファイバ８２とを有している。
【００２９】
円板部８１は、ステンレス系の金属材料からなる円板状の部材であって、その外径は円筒部７１の内側に隙間なく嵌合できる大きさで形成されている。なお、円板部８１の一対の板面である、後側板面８１ａ及び前側板面８１ｂは、いずれも平面状に形成されている。
また、円板部８１の中心部分には、板厚方向で貫通する第３孔部８３が形成されている。第３孔部８３の内径は、後述する第２光ファイバ８２の外径よりも僅かに大きく形成されている。
【００３０】
第２光ファイバ８２は、石英を用いて形成され、外周面の被覆を持たない光ファイバであって、凡そ１０００℃の耐熱性を有し、その径は４００μｍ、その全長は円板部８１の板厚と等しい長さに設定されている。なお、ファイバ本体５１と同様に、第２光ファイバ８２の材料は石英に限定されるものではなく、計測対象近傍の温度に耐えうる耐熱性を有していればよいため、例えばガラスを用いて形成されたガラスファイバであってもよい。
【００３１】
第２光ファイバ８２は、円板部８１の第３孔部８３内に配置され、セラミック接着剤Ｃを介して第３孔部８３の内周面に一体的に接続されている。また、第２光ファイバ８２の外周面に被覆は設けられていないため、第２光ファイバ８２の外周面と第３孔部８３の内周面との間にはセラミック接着剤Ｃが充填されているのみである。すなわち、円板部８１及び第２光ファイバ８２は、一つの剛体として構成されている。
【００３２】
また、第２光ファイバ８２の一対の端面である、後側端面８２ａ及び前側端面８２ｂは、いずれも中心軸方向と直交する平面状に形成され、通過する光の減衰を極力抑えるために平滑に研磨されている。第２光ファイバ８２は、後側端面８２ａと後側板面８１ａとが互いに面一となる位置関係で、円板部８１に設けられている。
【００３３】
図２に示すように、突出防止カバー８は、円筒部７１の内側に嵌合し、フェルール６における端部６３の端面６３ａと対向する位置に設けられている。
突出防止カバー８と円筒部７１とは、円板部８１と円筒部７１との間の溶接によって一体的に接続され、溶接箇所Ｗは前方に臨む位置に設けられている。溶接方法としては、第２光ファイバ８２の位置精度等に対する影響を少なくするために、熱の影響する範囲を限定できる方法であることが好ましく、例えば電子ビーム溶接等が用いられる。
【００３４】
突出防止カバー８はフェルール６に当接して設けられており、フェルール６は中心軸方向に関して突出防止カバー８と段部７３とで挟持されている。したがって、フェルール６は、中心軸方向及び中心軸と直交する方向のいずれに関しても、スリーブ７に一体的に接続されている。ここで、第２光ファイバ８２は、光ファイバ５と同一軸上に並んで配置されている。
また、第２光ファイバ８２の後側端面８２ａと、ファイバ本体５１のファイバ端面５１ａとは互いに接して設けられている。そのため、第２光ファイバ８２から光ファイバ５に入射される光の減衰を少なくすることができる。
【００３５】
突出防止カバー８の前方側には、計測対象から発せられる光Ｌを集光するための集光レンズ９が設けられている。集光レンズ９は、突出防止カバー８における第２光ファイバ８２の前側端面８２ｂとの間隔Ｄが集光レンズ９の焦点距離となる位置に設置されている。すなわち、前側端面８２ｂにおいて集光レンズ９の焦点が合うことになり、光Ｌの強度を最も向上させた状態で第２光ファイバ８２に入射させることができる。
なお、間隔Ｄは、スリーブ７、突出防止カバー８及び不図示のレンズ保持部材の存在により、常に一定の間隔に維持される。
【００３６】
続いて、本実施形態に係るフェルールプローブ１の動作及び作用を説明する。なお、突出防止カバー８に関する動作及び作用を中心に説明する。
上述したように、コンジット３１内には長めの光ファイバ５が撓んだ状態で配置されており、光ファイバ５は延びた状態に復元しようとする。また、コンジット３１を屈曲させた場合にも、フェルール６の保持部分における光ファイバ５に対して、集光レンズ９に向かって付勢する力が作用する。そのため、上記復元力及び付勢力により、フェルール６によって保持された光ファイバ５は、フェルール６から集光レンズ９に向かって移動しようとする。
【００３７】
また、フェルール６は光ファイバ５の先端部を囲んで保持しているが、光ファイバ５は延性の高い金属材料（金）で形成された被覆５２を有しており、フェルール６は被覆５２を介してファイバ本体５１を保持している。すなわち、ファイバ本体５１の外周面とフェルール６における第１孔部６１の内周面との間には、延性の高い被覆５２が介在しており、集光レンズ９に向かって移動しようとするファイバ本体５１をフェルール６が一定の位置に保持することは難しい状況にあった。
【００３８】
もっとも、本実施形態における入射部２には、フェルール６の端面６３ａと対向する位置に、突出防止カバー８が設けられている。そして、突出防止カバー８はスリーブ７の円筒部７１に溶接によって一体的に接続され、突出防止カバー８の第２光ファイバ８２はファイバ本体５１と隙間なく当接している。そのため、光ファイバ５の復元力により、ファイバ本体５１がフェルール６から集光レンズ９に向かって移動しようとしても、突出防止カバー８の第２光ファイバ８２が、ファイバ本体５１の移動を規制し、フェルール６の端面６３ａからの突出を防止することができる。
【００３９】
また、集光レンズ９と、突出防止カバー８における第２光ファイバ８２の前側端面８２ｂとの間隔Ｄが、集光レンズ９の焦点距離となるように設定されており、加えて突出防止カバー８はスリーブ７に一体的に接続されている。そのため、突出防止カバー８がファイバ本体５１によって前方に付勢されたとしても、間隔Ｄは変動せず、前側端面８２ｂにおいて集光レンズ９の焦点が常に合っていることになる。
したがって、集光レンズ９から第２光ファイバ８２に入射される光Ｌの強度を、最も高い状態に維持することができる。
【００４０】
さらに、第２光ファイバ８２の後側端面８２ａと、ファイバ本体５１のファイバ端面５１ａとは互いに接して設置されているので、前側端面８２ｂから入射された光Ｌは、第２光ファイバ８２からファイバ本体５１へ僅かな減衰のみで通過することができる。すなわち、光ファイバ５が第２光ファイバ８２の分だけ延長された状態となっており、前側端面８２ｂから入射された光Ｌをコネクタ部４のフォトダイオードまで僅かな減衰のみで伝送することができる。
したがって、本実施形態に係るフェルールプローブ１を用いることで、常に強度の高い光Ｌをコネクタ部４まで伝送することができるため、正確且つ安定した温度計測を維持することができる。
【００４１】
また、被覆５２の材料である金は、ファイバ本体５１の材料である石英よりも高い熱膨張係数を有しており、入射部２が高温の計測対象の近傍に設けられた場合には、被覆５２の熱膨張量はファイバ本体５１の熱膨張量よりも大きくなり、ファイバ本体５１のファイバ端面５１ａから被覆５２がずれて突出する虞があった。
【００４２】
しかし、本実施形態では、被覆５２の先端側の端部はファイバ端面５１ａと面一に形成され、且つファイバ端面５１ａ及び被覆５２のいずれにも突出防止カバー８が接して設けられているので、被覆５２のファイバ端面５１ａからの突出を防止することができる。したがって、被覆５２が突出することで入射される光Ｌが遮られることがなくなり、入射される光Ｌの強度を、最も高い状態に維持することができる。
【００４３】
したがって、本実施形態によれば、以下の効果を得ることができる。
本実施形態によれば、被覆５２に覆われた光ファイバ５をフェルールプローブ１に用いた場合でも、ファイバ本体５１のフェルール６からの突出、及び被覆５２のファイバ端面５１ａからの突出をいずれも防止でき、入射される光Ｌの光強度の低下を防ぐことで正確且つ安定した温度計測を維持できるという効果がある。
【００４４】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４５】
例えば、上記実施形態では、フェルールプローブ１はパイロメータに設けられているが、これに限定されるものではなく、放射温度計の一種である赤外放射温度計に設けられていてもよい。
【００４６】
また、上記実施形態では、突出防止カバー８はスリーブ７と一体的に接続されているが、これに限定されるものではなく、図４に示すように、突出防止カバー８がフェルール６に接続されていてもよい。
図４は、入射部２の第１の変形例を示す概略図である。
図４に示すフェルール６には、前方に向かって開口し且つ突出防止カバー８が隙間無く嵌合できる凹部６５が設けられている。突出防止カバー８は、凹部６５に嵌合し凹部６５の底面６５ａに当接している。なお、突出防止カバー８を底面６５ａに隙間なく当接させるために、円板部８１には切欠部８１ｃを設けることが好ましい。さらに、溶接は円板部８１とフェルール６との間で実施される。したがって、このような構成を用いても、ファイバ本体５１のフェルール６からの突出、及び被覆５２のファイバ端面５１ａからの突出をいずれも防止することができる。
【００４７】
また、上記実施形態では、突出防止カバー８は円板部８１と第２光ファイバ８２とを有するものであったが、これに限定されるものではなく、図５に示すように、光が透過できる単一の材料で形成された第２突出防止カバー（突出防止部）１０を用いてもよい。
図５は、入射部２の第２の変形例を示す概略図である。
図５に示す第２突出防止カバー１０は、突出防止カバー８とほぼ同一の外形寸法を有しており、その一対の端面である第２前側板面１０ｂ及び第２後側板面１０ａはいずれも中心軸方向と直交する平面状に形成され円滑に研磨されている。第２突出防止カバー１０は円筒部７１の内側に嵌合し、第２後側板面１０ａはフェルール６の端面６３ａに当接している。また、第２突出防止カバー１０は、セラミック接着剤Ｃを介して、円筒部７１の内周面に一体的に接続されている。
【００４８】
第２突出防止カバー１０は、ガラスや石英といった光を透過する材料で形成されている。また、集光レンズ９によって集光された光Ｌの焦点は、ファイバ端面５１ａ上で合うようになっており、集光レンズ９とファイバ端面５１ａとの間隔Ｄ２が、集光レンズ９の焦点距離に第２突出防止カバー１０の屈折率を加味した間隔に設定されている。
したがって、このような構成を用いても、ファイバ本体５１のフェルール６からの突出、及び被覆５２のファイバ端面５１ａからの突出をいずれも防止することができる。
【符号の説明】
【００４９】
１…フェルールプローブ、５…光ファイバ、５１ａ…ファイバ端面、５２…被覆、６…フェルール、６３…端部（一端部）、６３ａ…端面、８…突出防止カバー（突出防止部）、８２…第２光ファイバ
【図１】
2011043389.tif 000003
【図２】
2011043389.tif 000004
【図３】
2011043389.tif 000005
【図４】
2011043389.tif 000006
【図５】
2011043389.tif 000007